(57)【要約】【課題】頁番号が付された原稿から原稿画像の読み取りを行うとき、煩雑な作業を行わなくても、原稿の重送を正確に検出することができる画像読取装置及び画像形成装置を提供する。【解決手段】原稿画像を読み取る画像読取手段３４と、前記原稿画像を格納する記憶手段３０１と、前記原稿画像に指定領域を設定する領域指定手段３０２と、前記指定領域から文字情報を抽出する文字情報抽出手段３０３と、前記原稿画像を出力する出力手段３０４とを備えた画像読取装置２、３に、少なくとも２枚の連続する原稿画像の指定領域から夫々の頁番号を抽出する頁番号抽出手段３０５と、抽出した頁番号に基づいて次の原稿画像の頁番号を予測する頁番号予測手段３０６と、予測した頁番号と前記次の原稿画像の頁番号の一致または非一致を判定する頁番号判定手段３０７と、判定結果を報知する報知手段３０８を備える。【選択図】図１
2008072281.tif 000002
【特許請求の範囲】
【請求項１】
原稿から原稿画像を読み取る画像読取手段と、前記画像読取手段が読み取った原稿画像を格納する記憶手段と、前記記憶手段に格納された原稿画像に指定領域を設定する領域指定手段と、前記領域指定手段が設定した原稿画像の指定領域から文字情報を抽出する文字情報抽出手段と、前記記憶手段に格納した原稿画像を出力する出力手段とを備えた画像読取装置であって、
少なくとも２枚の連続する原稿画像の指定領域で抽出された文字情報から夫々の頁番号を抽出する頁番号抽出手段と、前記頁番号抽出手段が抽出した頁番号に基づいて次の原稿画像から抽出される頁番号を予測する頁番号予測手段と、前記頁番号予測手段が予測した頁番号と前記次の原稿画像から前記頁番号抽出手段が抽出した頁番号の一致または非一致を判定する頁番号判定手段と、前記頁番号判定手段の判定結果を報知する報知手段を備えた画像読取装置。
【請求項２】
前記報知手段は、前記頁番号抽出手段が頁番号を抽出できなかった場合、頁番号が非抽出であることを報知する請求項１記載の画像読取装置。
【請求項３】
前記頁番号予測手段は、前記頁番号抽出手段が原稿画像から頁番号を抽出できなかった場合、当該原稿画像の次の原稿画像を１枚目として、少なくとも２枚の連続する原稿画像から抽出した夫々の頁番号に基づき、その次の原稿画像から抽出される頁番号を改めて予測する請求項１または２記載の画像読取装置。
【請求項４】
前記記憶手段に記憶した原稿画像を削除する削除手段を備え、前記頁番号判定手段が非一致と判定した場合、前記削除手段の作動または非作動を決定する削除制御手段を備えた請求項１から３の何れかに記載の画像読取装置。
【請求項５】
前記削除制御手段が前記削除手段の非作動を決定した場合、前記頁番号予測手段は、頁番号が一致しなかった原稿画像を１枚目として、少なくとも２枚の連続する原稿画像から抽出した夫々の頁番号に基づき、その次の原稿画像から抽出される頁番号を改めて予測する請求項４記載の画像読取装置。
【請求項６】
前記頁番号判定手段が一致すると判定した場合、一致すると判定された原稿画像の出力を許可する出力許可手段を備える請求項１から５の何れかに記載の画像読取装置。
【請求項７】
前記記憶手段に記憶された原稿画像の全てが前記出力手段により出力されたとき、または画像読取手段により全ての原稿画像が読み取られたときに、前記報知手段が報知する請求項１から６の何れかに記載の画像読取装置。
【請求項８】
請求項１から７の何れかに記載の画像読取装置を備えた画像形成装置。
【発明の詳細な説明】
【技術分野】
【０００１】
本発明は、原稿から原稿画像を読み取る画像読取手段と、前記画像読取手段が読み取った原稿画像を格納する記憶手段と、前記記憶手段に格納された原稿画像に指定領域を設定する領域指定手段と、前記領域指定手段が設定した原稿画像の指定領域から文字情報を抽出する文字情報抽出手段と、前記記憶手段が記憶した原稿画像を出力する出力手段とを備えた画像読取装置及び当該画像読取装置を備えた画像形成装置に関する。
【背景技術】
【０００２】
従来から、原稿画像を読み取る画像読取装置を備えた装置において、頁番号が付された原稿を含む複数の原稿から原稿画像を読み取る際に、前記頁番号に基づいて希望の原稿の原稿画像を読み取り、または原稿の重送を検出することができる装置が提案されている。
【０００３】
このような装置として、特許文献１では、製本された本の頁をめくる頁めくり機構と、この頁めくり機構がめくった頁の画像データを読取るスキャナ部と、このスキャナ部が読み取ったデータを記憶する第一の記憶手段と、この記憶手段のデータのうち所定箇所から頁番号を読取って、頁数を認識する文字認識手段と、この文字認識手段が認識した頁数を記憶する第二の記憶手段と、この頁数が不連続の場合、重送と判定する判定手段と、その判定した結果を記憶する第三の記憶手段とを有することを特徴とする画像読取装置が提案されている。
【０００４】
特許文献２では、読み取ったブック原稿の画像をストアするフレームメモリ内の有効エリアを表示する画像表示部を有し、上記画像表示部内あるいはその外にガイダンス表示部を設け、上記有効エリアの数値の表示及び修正を可能とし、該数値に従った画像を上記画像表示部に表示させることを特徴とするブック原稿の画像読み取り装置が提案されている。
【特許文献１】特開平０６−２５９５９６号公報
【特許文献２】特許３３８６２８０号公報
【発明の開示】
【発明が解決しようとする課題】
【０００５】
しかし、特許文献１、２に記載された装置では、原稿には１つの頁番号が付され、且つ、前記頁番号は「１」ずつ増加することを前提として、原稿画像の読み取りを行うものであり、例えば、頁番号が付された原稿画像が割付印刷された等の、１つの原稿画像に複数の頁番号が付された原稿や、例えば、「目次」や「章」や「節」毎に付される頁番号が独立している等の、全体として不連続な頁番号が付された原稿や、例えば、全ての原稿には奇数の頁番号が付され、若しくは降順に頁番号が付されて「１」ずつ減少する等の、「１」ずつ増加しない頁番号が付された原稿等から原稿画像を読み取る際には、全ての原稿で重送を生じることなく、原稿画像の読み取りに成功しているにもかかわらず、画像読み取りのエラーを出力することになる。
【０００６】
また、特許文献１、２に記載された装置では、原稿に付された頁番号の正確な位置を原稿画像上に指定する必要があり、煩雑な作業が必要であった。
【０００７】
本発明の目的は、上述の問題に鑑み、複数の頁番号が付された原稿から、または、不連続に増加し若しくは「１」ずつ増加しない頁番号が付された原稿から原稿画像の読み取りを行うとき、煩雑な作業を行わなくても、原稿の重送を正確に検出することができる画像読取装置及び画像形成装置を提供する点にある。
【課題を解決するための手段】
【０００８】
上述の目的を達成するため、本発明による画像読取装置の第一の特徴構成は、特許請求の範囲の書類の請求項１に記載した通り、原稿から原稿画像を読み取る画像読取手段と、前記画像読取手段が読み取った原稿画像を格納する記憶手段と、前記記憶手段に格納された原稿画像に指定領域を設定する領域指定手段と、前記領域指定手段が設定した原稿画像の指定領域から文字情報を抽出する文字情報抽出手段と、前記記憶手段に格納した原稿画像を出力する出力手段とを備えた画像読取装置に、少なくとも２枚の連続する原稿画像の指定領域で抽出された文字情報から夫々の頁番号を抽出する頁番号抽出手段と、前記頁番号抽出手段が抽出した頁番号に基づいて次の原稿画像から抽出される頁番号を予測する頁番号予測手段と、前記頁番号予測手段が予測した頁番号と前記次の原稿画像から前記頁番号抽出手段が抽出した頁番号の一致または非一致を判定する頁番号判定手段と、前記頁番号判定手段の判定結果を報知する報知手段を備えた点にある。
【０００９】
頁番号判定手段が、頁番号予測手段が予測した頁番号と前記次の原稿画像から前記頁番号抽出手段が抽出した頁番号とが一致すると判定したとき、原稿の重送が生じていないと考えられ、頁番号予測手段が予測した頁番号と前記次の原稿画像から前記頁番号抽出手段が抽出した頁番号とが非一致であると判定したとき、原稿画像の読み取りが正常に行われていない可能性があると考えられる。
【００１０】
上述の構成によれば、報知手段により報知される前記頁番号判定手段の判定結果を確認することで、原稿の重送が生じた可能性の有無をユーザは確認することができる。
【００１１】
同第二の特徴構成は、同請求項２に記載した通り、上述の第一の特徴構成に加えて、前記報知手段は、前記頁番号抽出手段が頁番号を抽出できなかった場合、頁番号が非抽出であることを報知する点にある。
【００１２】
原稿の重送を検出するにあたって、原稿画像に付された頁番号を正しく抽出することが重要である。しかし、頁番号が付されている原稿で、前記頁番号の背景色が前記頁番号に配された色と同色系であるときや原稿画像の汚れ等から、前記頁番号抽出手段が前記原稿画像から頁番号を抽出できないことがある。もちろん、頁番号が付されていない原稿では、原稿画像が正常に読み取られていても、頁番号抽出手段は前記原稿画像から頁番号を抽出することができない。
【００１３】
上述の構成によれば、頁番号が抽出できなかったとの報知を受けたユーザは、対応する原稿画像を確認し、前記頁番号が抽出できなかった理由に応じた対応をとることができる。例えば、確認した原稿画像には前記頁番号予測手段が予測した頁番号と一致する頁番号が付されているにも関わらず頁番号が抽出できなかったときには、原稿の重送は生じていないとして画像読み取り動作を継続させればよい。
【００１４】
同第三の特徴構成は、同請求項３に記載した通り、上述の第一または第二の特徴構成に加えて、前記頁番号予測手段は、前記頁番号抽出手段が原稿画像から頁番号を抽出できなかった場合、当該原稿画像の次の原稿画像を１枚目として、少なくとも２枚の連続する原稿画像から抽出した夫々の頁番号に基づき、その次の原稿画像から抽出される頁番号を改めて予測する点にある。
【００１５】
原稿の表紙などには頁番号が付されていないことが多く、前記表紙などを挟んで番号体系が異なる複数の原稿から原稿画像の読み取りを行うとき、頁番号が抽出できなかった原稿画像の前後の原稿画像では、原稿画像に付されている頁番号の番号体系が異なる。
【００１６】
上述の構成によれば、当該原稿画像の前側の原稿に付された頁番号と異なる番号体系ある可能性が高い、当該原稿画像の次の原稿画像から改めて原稿の重送を検知することができる。
【００１７】
同第四の特徴構成は、同請求項４に記載した通り、上述の第一から第三の何れかの特徴構成に加えて、前記記憶手段に記憶した原稿画像を削除する削除手段を備え、前記頁番号判定手段が非一致と判定した場合、前記削除手段の作動または非作動を決定する削除制御手段を備えた点にある。
【００１８】
前記頁番号判定手段が非一致と判定した場合では、原稿の重送が生じた可能性があり、実際に重送が生じていた場合は、読み取った原稿画像を削除し、再度、原稿画像を読み取ることになる。
【００１９】
上述の構成によれば、前記頁番号判定手段が非一致と判定し、ユーザが原稿の重送が生じていることを確認した場合には、削除制御手段により削除手段を作動させ、読み取った原稿画像を削除することができる。
【００２０】
同第五の特徴構成は、同請求項５に記載した通り、上述の第四の特徴構成に加えて、前記削除制御手段が前記削除手段の非作動を決定した場合、前記頁番号予測手段は、頁番号が一致しなかった原稿画像を１枚目として、少なくとも２枚の連続する原稿画像から抽出した夫々の頁番号に基づき、その次の原稿画像から抽出される頁番号を改めて予測する点にある。
【００２１】
前記頁番号判定手段が非一致と判定したが、実際には原稿の重送が生じていなかった場合、当該原稿画像の前側の原稿と、当該原稿画像を含む後側の原稿画像の原稿には、付された頁番号の番号体系が異なると考えられる。つまり、原稿画像の読み取りは正常に行われており、読み取った原稿画像を削除する必要はなく、前記削除制御手段により前記削除手段の非作動を決定する。
【００２２】
上述の構成によれば、当該原稿画像の前までの原稿画像に付された頁番号と異なる番号体系の頁番号が付された当該原稿画像から、改めて原稿の重送を検知することができる。
【００２３】
同第六の特徴構成は、同請求項６に記載した通り、上述の第一から第五の何れかの特徴構成に加えて、前記頁番号判定手段が一致すると判定した場合、一致すると判定された原稿画像の出力を許可する出力許可手段を備える点にある。
【００２４】
前記頁番号判定手段により一致すると判定された原稿画像は、少なくとも前の原稿画像との間で重送を生じている可能性は低い。
【００２５】
上述の構成によれば、出力許可手段により、原稿の重送を生じることなく読み取られた可能性の低い原稿画像は出力が許可されるのである。
【００２６】
同第七の特徴構成は、同請求項７に記載した通り、上述の第一から第六の何れかの特徴構成に加えて、前記記憶手段に記憶された原稿画像の全てが前記出力手段により出力されたとき、または画像読取手段により全ての原稿画像が読み取られたときに、前記報知手段が報知する点にある。
【００２７】
原稿から原稿画像を読み取るとき、その都度、頁番号判定手段により報知される判定結果を確認するのは煩雑であり、非効率であることが多い。
【００２８】
上述の構成によれば、全ての原稿画像が読み取られて出力され、または全ての原稿画像が読み取られたときに、原稿の重送が生じた可能性について報知されるため、ユーザは、問題箇所をまとめて確認することができる。
【００２９】
本発明による画像形成装置の特徴構成は、同請求項８に記載した通り、請求項１から７の何れかに記載の画像読取装置を備えている点にある。
【発明の効果】
【００３０】
以上説明した通り、本発明によれば、複数の頁番号が付された原稿から、または、不連続に増加し若しくは「１」ずつ増加しない頁番号が付された原稿から原稿画像の読み取りを行うとき、煩雑な作業を行わなくても、原稿の重送を正確に検出することができる画像読取装置及び画像形成装置を提供することができるようになった。
【発明を実施するための最良の形態】
【００３１】
以下、本発明による画像読取装置を備えた画像形成装置の一例である複写機について説明する。
【００３２】
複写機１は、図２に示すように、各種のメニューを設定する複数のメニュー設定キーや設定されたメニューで複写動作を起動するスタートキー等が配置された操作部２と、原稿テーブル３０にフェイスアップで載置されたシート状の一連の原稿を順次読込んで電子データに変換する画像読取部３と、前記画像読取部３から出力された原稿画像に基づき画像形成して複写物を出力する様々な各部を備え、公知の技術により画像形成、複写物出力を行う。前記操作部２と前記画像読取部３と前記様々な各部は、ＣＰＵと、該ＣＰＵの動作プログラム等を格納したＲＯＭと、作業領域であるＲＡＭ等により構成される制御部を夫々備え、夫々の制御部により制御される。前記操作部２と前記画像読取部３とは、協働して本発明の画像読取装置として動作する。
【００３３】
前記操作部２は、前記画像読取部３の手前側に配置されており、複数のメニューキー等が表示され各メニューキーに対する操作を検出する前記操作部２の中央部に設けられたタッチパネル式の表示部２０と、前記表示部２０の両側に設けられた種々の入力キー２１やモード選択キー２２等を備えて構成されている。また、前記操作部２は操作制御部２００を備える。
【００３４】
前記画像読取部３は、図３に示すように、原稿を載置する原稿テーブル３０と、原稿テーブル３０に載置された原稿を搬送する原稿搬送部３６と、本発明の画像読取手段となる、原稿から原稿画像を読み取る光学系装置３４と、前記光学系装置３４に読み取られた原稿が排出される原稿排出トレイ３７とを備えて構成されている。また、前記画像読取部３は画像読取制御部３００を備える。
【００３５】
前記光学系装置３４は、原稿を照明する光源としてのランプ３４１と、原稿からの反射光を取り込んで前記反射光を図３において一点鎖線で示した経路にて前記撮像部３３に導くミラー群３４２、３４３、３４４と、前記ミラー３４４からの光線束を撮像部３３に合焦させるレンズ３４５とからなるミラー走査型の光学系である。
【００３６】
前記画像読取部３は、コンタクトガラス３５上に原稿が載置されるときには、前記光学系装置３４が原稿の先端側から後端側に走査して原稿の原稿画像を読み取るミラー走査モードで作動し、前記原稿テーブル３０に原稿が載置されるときには、図中実線で示された位置に固定された前記光学系装置３４が、前記原稿テーブル３０から原稿搬送部３６により搬送される一連の原稿の原稿画像を読み取るシートスルーモードで作動するように切替可能に構成されている。なお、シースルーモードで作動した際に、原稿画像が読み取られた原稿は、原稿排紙トレイ３７に排紙される。
【００３７】
以下に、原稿から原稿画像を読み取る際の原稿の重送検出について説明する。
【００３８】
該複写機１の各部の制御部は、図１に示すように、内部バス４により接続され、前記内部バス４を介して夫々の制御データ等を送受信しあうことができる。尚、前記操作部２と前記画像読取部３以外の各部はその他の各部５として、前記操作制御部２００と前記画像読取制御部３００以外の各部の制御部はその他の制御部５００として、簡略化して図示している。
【００３９】
前記操作制御部２００は、各制御部からの要求に基づき、前記表示部２０に表示する画面を制御する表示制御手段２０１と、前記操作部２に対して行われた操作を検出し、操作内容を各部へ出力する操作検出手段２０２を備える。
【００４０】
前記画像読取制御部３００は、前記光学系装置３４が読み取った原稿画像を格納する記憶手段３０１と、前記記憶手段３０１に格納された原稿画像に指定領域を設定する領域指定手段３０２と、前記領域指定手段３０２が設定した原稿画像の指定領域から文字情報を抽出する文字情報抽出手段３０３と、前記記憶手段３０１に格納した原稿画像を出力する出力手段３０４と、少なくとも２枚の連続する原稿画像の指定領域で抽出された文字情報から夫々の頁番号を抽出する頁番号抽出手段３０５と、前記頁番号抽出手段３０５が抽出した頁番号に基づいて次の原稿画像から抽出される頁番号を予測する頁番号予測手段３０６と、前記頁番号予測手段３０６が予測した頁番号と前記次の原稿画像から前記頁番号抽出手段３０５が抽出した頁番号の一致または非一致を判定する頁番号判定手段３０７と、前記頁番号判定手段３０７の判定結果の報知を制御する報知制御手段３０８を備える。更に、前記画像読取制御部３００は、前記記憶手段３０１に記憶した原稿画像を削除する削除手段３０９と、前記頁番号判定手段３０７が非一致と判定した場合、前記削除手段３０９の作動または非作動を決定する削除制御手段３１０と、前記頁番号判定手段３０７が一致すると判定した場合、一致すると判定された原稿画像の出力を許可する出力許可手段３１１を備える。
【００４１】
前記領域指定手段３０２は、前記記憶手段３０１に格納した原稿画像の原稿サイズから外周部を検出し、検出した外周部を指定領域に設定する。
【００４２】
前記文字情報抽出手段３０３は、ＯＣＲ（Optical Character Reader）等の公知技術により、前記指定領域に含まれる文字情報を抽出する。ここで、前記指定領域から多くの文字情報が抽出された場合、前記領域指定手段３０２に指定領域を縮小するように要求し、前記指定領域から文字情報が抽出できない場合、前記領域指定手段３０２に指定領域を拡張するように要求する。また、前記文字情報抽出手段３０３は、当該原稿画像において、前記文字情報を抽出した位置を前記文字情報と関連付けて把握する。
【００４３】
前記頁番号抽出手段３０５は、少なくとも２枚の連続する原稿画像の指定領域で前記文字情報抽出手段３０５が抽出した文字情報から夫々の頁番号を抽出する。ここで、頁番号は、例えば「−１−」等の様に、装飾記号で装飾されていることが一般的であり、一般的な頁番号のパターンマッチングなどを行い、頁番号を抽出する。また、前記頁番号抽出手段３０５は、頁番号がアラビア数字はもちろん、ローマ数字や漢数字で表記されていても抽出可能に構成されている。
【００４４】
頁番号を抽出する原稿画像Ａが、例えば、図４に示すように、割付印刷等により頁番号が付された複数の原稿画像ａ（ａ１〜ａ４）からなるとき、前記頁番号抽出手段３０５は、当該原稿画像から複数の頁番号「−ｐ＋２−」「−ｐ＋３−」を抽出することになる。この場合、前記頁番号抽出手段３０５は、最も若い頁番号「−ｐ＋２−」を代表頁番号として選択し、当該原稿画像において、前記文字情報抽出手段３０３の把握する文字情報の位置情報から前記代表頁番号が付された位置Ｘを把握し、次の原稿画像から抽出する頁番号は同位置Ｘから抽出する。
【００４５】
更に、前記頁番号抽出手段３０５は、頁番号の抽出を行った原稿画像からの頁番号の抽出結果を前記頁番号予測手段３０６と前記頁番号判定手段３０７とに出力する。つまり、前記頁番号抽出手段３０５は、前記指定領域から頁番号を抽出したときには、対応する原稿画像と関連付けて抽出した頁番号を出力し、前記指定領域から頁番号を抽出できなかったときには、対応する原稿画像と関連付けて頁番号が抽出できなかった旨を出力する。
【００４６】
以下に、前記画像読取部３における、原稿画像からの頁番号抽出動作について、図５のフローチャートを用いて説明する。尚、前記画像読取部３による原稿からの原稿画像の読み取りは、ミラー走査モードまたはシースルーモードの何れで行ってもよい。
【００４７】
画像読取部３で原稿画像の読み取りが開始されると（ＳＡ１）、原稿から原稿画像が読み取られ（ＳＡ２）、読み取られた原稿画像が記憶手段３０１に格納される（ＳＡ３）。
【００４８】
領域指定手段３０２は、原稿画像を読み取った原稿サイズから原稿画像の外周部を検出して指定領域に設定し（ＳＡ４）、文字情報抽出手段３０３は前記指定領域から文字情報を抽出する（ＳＡ５）。
【００４９】
頁番号抽出手段３０５は、抽出した文字情報から頁番号の抽出を行い（ＳＡ６）、頁番号の抽出を行った原稿画像と関連付けて、頁番号の抽出結果を頁番号予測手段３０６と前記頁番号判定手段３０７とに出力する（ＳＡ８）。
【００５０】
前記頁番号予測手段３０６は、前記頁番号抽出手段３０５がある原稿画像（以下、第ｎ原稿画像）と次の原稿画像（以下、第ｎ＋１原稿画像）の夫々から頁番号を連続して出力したときに、前記第ｎ＋１原稿画像の次の原稿画像（以下、第ｎ＋２原稿画像）から抽出される頁番号の予測を開始し、以後、前記第ｎ＋１原稿画像を前記第ｎ原稿画像として、前記第ｎ＋２原稿画像を前記第ｎ＋１原稿画像として、読み取った全ての原稿画像について、同様の手順で頁番号の予測を繰り返す。
【００５１】
詳述すると、前記頁番号予測手段３０６は、前記記憶手段３０１に格納された、少なくとも２枚の連続する原稿画像から、前記頁番号抽出手段３０５が抽出した夫々の頁番号に基づき、次の頁番号を予測する。つまり、前記画像読取部３では、全ての原稿に頁番号が付された、３枚以上の複数の原稿から原稿画像を読み取る際には、３枚目以降の原稿で、原稿の重送が生じていないかどうかを検出することができる。
【００５２】
例えば、前記頁番号抽出手段３０５が第ｎ原稿画像と第ｎ＋１原稿画像とから抽出した頁番号が「１」「５」であったとき、頁番号は「４」ずつ増加すると予測されるため、前記頁番号予測手段３０６は、第ｎ＋２原稿画像から抽出される頁番号を「９」と予測する。また、前記頁番号抽出手段３０５が第ｎ原稿画像と第ｎ＋１原稿画像とから抽出した頁番号が「１２」「８」であったとき、頁番号は「４」ずつ減少すると予測されるため、前記頁番号予測手段３０６は、第ｎ＋２原稿画像から抽出される頁番号を「４」と予測する。
【００５３】
また、前記頁番号予測手段３０６は、頁番号の予測を開始した後、後に詳述する削除制御手段３１０が削除手段３０９の非作動を決定した場合、つまり、頁番号が一致しなかった原稿画像の出力が決定された場合、前記頁番号が一致しなかった原稿画像を１枚目（以下、第ｎ原稿画像）として、少なくとも２枚の連続する原稿画像（第ｎ原稿画像と第ｎ＋１原稿画像）から抽出した夫々の頁番号に基づき、その次の原稿画像（第ｎ＋２原稿画像）から抽出される頁番号を改めて予測するように動作する。
【００５４】
但し、第ｎ＋２原稿画像から頁番号が抽出できなかったため、前記頁番号が一致しなかったときには、前記頁番号予測手段３０６は、第ｎ＋３原稿画像を１枚目として、少なくとも２枚の連続する原稿画像（前記第ｎ＋３原稿画像と第ｎ＋４原稿画像）から抽出した夫々の頁番号に基づき、前記第ｎ＋４原稿画像のその次の原稿画像（以下、第ｎ＋５原稿画像）から抽出される頁番号を改めて予測するように動作する。
【００５５】
前記頁番号判定手段３０７は、前記頁番号抽出手段３０５が、第ｎ原稿画像と第ｎ＋１原稿画像とから抽出した頁番号に基づき、前記頁番号予測手段３０６が第ｎ＋２原稿画像から抽出されると予測した頁番号と、前記第ｎ＋２原稿画像から前記頁番号抽出手段３０５が抽出した頁番号の一致または非一致を判定し、判定結果を前記報知制御手段３０８に出力する。また、前記頁番号抽出手段３０５が原稿画像から頁番号が抽出できず、前記判定結果が非一致であるときには、その旨を合わせて出力する。
【００５６】
更に、前記頁番号判定手段３０７は、前記判定結果が一致であるときには出力許可手段３１１に一致の判定結果を出力し、前記判定結果が非一致であるときには削除制御手段３１０に非一致の判定結果を出力する。
【００５７】
前記報知制御手段３０８は、前記頁番号判定手段３０７の判定結果を、前記表示制御手段２０１を介して、前記表示部２０に報知させる。換言すると、前記報知制御手段３０８は、前記表示部２０に前記判定結果を表示させる。
【００５８】
つまり、前記報知制御手段３０８は、前記頁番号抽出手段３０５が頁番号を抽出した原稿画像に対する前記頁番号判定手段３０７の判定結果が一致であるとき、前記原稿の前の原稿と前記原稿との間での重送は生じなかった旨を前記表示部２０に表示させ、前記頁番号抽出手段３０５が頁番号を抽出した原稿画像に対する前記頁番号判定手段３０７の判定結果が非一致であるとき、または前記頁番号抽出手段３０５が原稿画像から頁番号を抽出できず、前記判定結果が非一致であるときには、前記原稿の前の原稿と前記原稿との間での重送が生じた可能性がある旨を前記表示部２０に表示させ、頁番号が抽出できなかったときには更に対応する原稿画像から頁番号が非抽出であることを、前記表示部２０に合わせて表示させる。つまり、前記表示部２０は、本発明における報知手段である。
【００５９】
前記判定結果が非一致となる原稿画像があるときについて詳述すると、前記報知制御手段３０８は、前記判定結果が非一致であり、前記原稿画像の前の原稿画像と前記原稿画像との間で重送が生じた可能性がある旨と、前記原稿画像とその前後の原稿画像と、読み取った原稿画像の削除実行ボタンと、出力実行ボタンとを前記表示部２０に表示させ、更に前記原稿画像から頁番号が抽出できなかったため、前記判定結果が非一致となったときには、前記原稿画像から頁番号が抽出できなかった旨を合わせて表示し、ユーザの操作入力を促す。前記ユーザが行った操作入力の操作内容は、前記操作検出手段２０２により検出され、削除制御手段３１０に出力される。
【００６０】
前記削除制御手段３１０は、前記操作内容に基づき、前記削除手段３０９の作動または非作動を決定する。つまり、前記削除実行ボタンが押圧されたとき、前記削除制御手段３１０は前記削除手段３０９の作動を決定し、作動した前記削除手段３０９は読み取った原稿画像を前記記憶手段３０１から削除し、前記出力実行ボタンが押圧されたとき、前記削除制御手段３１０は前記削除手段３０９の非作動を決定し、対応する原稿画像に対して前記出力実行ボタンが押圧された旨を前記頁番号予測手段３０６と前記出力許可手段３０４に出力する。
【００６１】
前記出力許可手段３１１は、前記頁番号判定手段３０７から判定結果が一致である旨を受信し、またはユーザにより前記出力実行ボタンが押圧された旨を前記削除制御手段３１０から受信すると、対応する原稿画像の出力を許可する。
【００６２】
ここで、画像読取部３で読み取る複数の原稿のうち、読み取った１枚目と２枚目の原稿画像に頁番号が付されていても、前記頁番号予測手段３０６は、前記１枚目と前記２枚目の原稿画像から抽出される頁番号の予測はできないため、前記出力許可手段３１１は、読み取った前記１枚目と前記２枚目の出力を常に許可する。
【００６３】
また、頁番号抽出手段３０５により、少なくとも２枚の連続する原稿画像（第ｎ原稿画像と第ｎ＋１原稿画像とする）から夫々の頁番号が抽出されるまでは、頁番号予測手段３０６は、少なくとも第ｎ＋２原稿画像までの原稿画像から抽出される頁番号を予測することはできないため、前記出力許可手段３１１は、前記第ｎ＋１原稿画像までの出力を常に許可する。
【００６４】
前記出力手段３０４は、前記出力許可手段３１１により出力を許可された原稿画像を出力する。
【００６５】
頁番号予測が開始された後、頁番号予測手段３０６による頁番号の予測動作について、図６のフローチャートを用いて説明する。
【００６６】
頁番号予測手段３０６は、ある原稿画像（以下、第ｎ原稿画像）から抽出された頁番号を受信した後（ＳＢ１）、前記第ｎ＋１原稿画像から抽出された頁番号を受信すると（ＳＢ２）、前記第ｎ＋２原稿画像から抽出される頁番号の予測を行う（ＳＢ３）。
【００６７】
前記頁番号判定手段３０７は、前記頁番号予測手段３０６が前記第ｎ＋２原稿画像から抽出されると予測した頁番号と、前記第ｎ＋２原稿画像から抽出された頁番号の一致または不一致を判定して判定結果を報知制御手段３０８と削除制御手段３１０と出力許可手段３１１に出力し、（ＳＢ４）、前記報知制御手段３０８は、前記表示制御手段を介して、表示部２０に前記判定結果等を表示する（ＳＢ５）。
【００６８】
前記判定結果が一致であるとき（ＳＢ６）、前記出力許可手段３１１は前記第ｎ＋２原稿画像の出力を許可し（ＳＢ９）、前記判定結果が非一致であるとき（ＳＢ６）、前記表示部２０に表示された前記判定結果を確認したユーザの操作に基づき前記削除制御手段３１０は削除手段３０９の作動または非作動を決定する（ＳＢ７）。
【００６９】
前記削除手段３０９の作動を決定したときには（ＳＢ７）、前記削除手段３０９を作動させて記憶手段３０１に格納された読み取った原稿画像を削除し（ＳＢ８）、前記削除手段３０９の非作動を決定したときには（ＳＢ７）、前記削除制御手段３１０は前記削除手段３０９を非作動させず、前記出力許可手段３１１は前記第ｎ＋２原稿画像の出力を許可する（ＳＢ９）。
【００７０】
第ｎ＋２原稿画像から頁番号を抽出できなかったため前記判定結果が非一致であったとき（ＳＢ１０）、前記頁番号予測手段３０６は、前記第ｎ＋２原稿画像の次の原稿画像を第ｎ原稿画像として（ＳＢ１１）、改めて頁番号の予測を行い（ＳＢ１）、第ｎ＋２原稿画像から頁番号を抽出できたが前記判定結果が非一致であったとき（ＳＢ１０）、前記頁番号予測手段３０６は、前記第ｎ＋２原稿画像を第ｎ原稿画像として（ＳＢ１２）、改めて頁番号の予測を行う（ＳＢ１）。
【００７１】
以下に、別実施形態について説明する。
【００７２】
上述の実施形態では、本発明による画像読取装置を備えた画像形成装置である複写機について説明したが、本発明による画像読取装置は、例えば、スキャナなどのように単独で使用するものであってもよい。また、本発明による画像読取装置を備えた前記画像形成装置は、前記画像読取装置を備えたものであれば複写機以外であってもよく、例えばＦＡＸ、または複合機等であってもよい。
【００７３】
上述の構成では、報知制御手段３０８は、頁番号抽出手段３０５が頁番号を抽出した原稿画像に対する頁番号判定手段３０７の判定結果を出力する度に、前記前記判定結果を前記表示部２０に表示する構成としたが、記憶手段３０１に記憶された原稿画像の全てが前記出力手段により出力されたとき、または画像読取手段である光学系装置３４により全ての原稿画像が読み取られたときに、前記表示部２０が前記判定結果を報知する構成としても良い。この構成によると、ユーザは、原稿画像の判定結果が出力される度に、当該原稿画像の出力の可否を決定する必要はない。
【００７４】
尚、上述した実施形態は何れも本発明の一実施例に過ぎず、当該記載により本発明の範囲が限定されるものではなく、各部の具体的構成は本発明による作用効果を奏する範囲において適宜変更することができることはいうまでもない。
【図面の簡単な説明】
【００７５】
【図１】本発明の画像読取装置を搭載した複写機の機能ブロック構成図
【図２】複写機の説明図
【図３】画像読取装置の説明図
【図４】複数の原稿画像を含む原稿画像からの頁番号抽出の説明に用いる図
【図５】原稿画像からの頁番号抽出動作の説明に用いるフローチャート
【図６】頁番号予測が開始された後、頁番号予測手段による頁番号の予測動作の説明に用いるフローチャート
【符号の説明】
【００７６】
２：操作部
３：画像読取部
２０：報知手段（表示部）
３４：画像読取手段（光学系装置）
２００：操作制御部
３００：画像読取制御部
３０１：記憶手段
３０２：領域指定手段
３０３：文字情報抽出手段
３０４：出力手段
３０５：頁番号抽出手段
３０６：頁番号予測手段
３０７：頁番号判定手段
３０８：報知制御手段
３０９：削除手段
３１０：削除制御手段
３１１：出力許可手段
【図１】
2008072281.tif 000003
【図２】
2008072281.tif 000004
【図３】
2008072281.tif 000005
【図４】
2008072281.tif 000006
【図５】
2008072281.tif 000007
【図６】
2008072281.tif 000008